(57)【要約】      （修正有）【課題】駐車予約システムにおいて、利用予定者によって直前の予約が行われた場合であっても、非予約利用者とのバッティングが生じることなく予約が可能な駐車予約システムを提供する。【解決手段】駐車予約システムは、駐車管理装置１０及び予約管理サーバ装置を有する。駐車管理装置１０は、複数の駐車スペースＳ１に設けられた進入制限装置Ｂ１を有する。進入制限装置Ｂ１は、駐車時以外は起立して制限側となっており、固定部３１と、これに回動可能に設けられた抑止部３２と、駐車可能表示部Ｌ１及び制限解除部Ｋ１とを備える。駐車可能表示部Ｌ１は、駐車スペースＳ１が現時点で利用可能なときは、駐車可能の表示となり、利用できないときは利用不可の表示となる。利用可能なときは、制限解除部Ｋ１を押すことにより進入制限装置Ｂ１を収納して車両を駐車させることができる。【選択図】図３
2020091563.tif 000002
【特許請求の範囲】
【請求項１】
複数の駐車スペースを有する駐車エリアにおいて、駐車予約を管理する駐車場の駐車予約システムであって、
前記複数の駐車スペースは、予約利用者の予約が設定されるとともに非予約利用者の利用も可能とした少なくとも一つの予約用の第１駐車スペースと、前記予約利用者の予約が設定されている前記予約用の第１駐車スペースが前記非予約利用者に利用されているときに前記予約用の第１駐車スペースに代えて前記予約利用者に利用させる少なくとも一つの予備用の第２駐車スペースとを含み、
前記駐車スペースへの進入の可否を制御する進入制限装置と、前記駐車スペース又は前記駐車エリアに接近する車両の識別を行う車両識別装置と、
前記予約利用者からの駐車予約の処理を行う予約管理装置とを備え、
前記進入制限装置は、制限側に保持された状態で、駐車可能又は駐車不可を表示する駐車可能表示部と、前記駐車可能表示部が駐車可能を表示しているときに前記進入制限装置の制限側に保持された状態を前記非予約利用者が解除可能にする制限解除部とを備え、
前記予約管理装置は、予め登録がなされた登録車両に関する情報を記憶する登録情報データベースと、前記駐車スペースの予約状況を記憶する予約情報データベースとを参照し、
これから予約をしようとする利用予定者から駐車予約の申し込み受付があったとき、前記申し込み受付から予約完了までの間は、制限側に保持された前記進入制限装置のうち少なくとも一つの前記進入制限装置の前記駐車可能表示部を駐車不可に表示することを特徴とする駐車予約システム。
【請求項２】
請求項１に記載の駐車予約システムにおいて、
前記予約管理装置は、前記申し込み受付があったとき、予約開示時刻の前に余裕をとるための間隔最小値を付加した時刻が、現時点と重なっている場合に、前記申し込み受付から予約完了までの間は、制限側に保持された前記進入制限装置のうち少なくとも一つの前記進入制限装置の前記駐車可能表示部を駐車不可に表示することを特徴とする駐車予約システム。
【請求項３】
請求項１又は請求項２に記載の駐車予約システムにおいて、
使用されていない前記駐車スペースでは、全ての前記進入制限装置が制限側に保持された状態であることを特徴とする駐車予約システム。
【請求項４】
請求項１〜請求項３のいずれか一項に記載の駐車予約システムにおいて、
前記予備用の第２駐車スペースの前記進入制限装置は、前記予約管理装置によって割り振られた前記予約利用者が前記予備用の第２駐車スペースを利用する場合のみ、前記駐車可能表示部を駐車可能に表示することを特徴とする駐車予約システム。
【請求項５】
請求項１〜請求項４のいずれか一項に記載の駐車予約システムにおいて、
前記駐車可能表示部は、色、記号又は文字の少なくとも一つで駐車可能かどうかを表示することを特徴とする駐車予約システム。
【請求項６】
請求項１〜請求項５のいずれか一項に記載の駐車予約システムにおいて、
前記予約管理装置は、これから予約をしようとする利用予定者の駐車予約の申し込み受付から予約完了までの間に、前記駐車スペース又は前記駐車エリアに接近する車両があることを、前記利用予定者に知らせる通知部を備えていることを特徴とする駐車予約システム。
【請求項７】
請求項１〜請求項６のいずれか一項に記載の駐車予約システムにおいて、
前記予約管理装置は、前記利用予定者の携帯端末から予約可能であることを特徴とする駐車予約システム。
【請求項８】
請求項１〜請求項７のいずれか一項に記載の駐車予約システムにおいて、
前記制限解除部は、前記非予約利用者が操作可能な解除スイッチを備えていることを特徴とする駐車予約システム。
【請求項９】
請求項１〜請求項８のいずれか一項に記載の駐車予約システムにおいて、
前記制限解除部は、前記駐車スペース毎に割り振られているとともに前記非予約利用者が携帯端末で認識可能な個別コード部を備えていることを特徴とする駐車予約システム。
【発明の詳細な説明】
【技術分野】
【０００１】
本発明は、時間貸し駐車場における駐車予約システムに関する。
【背景技術】
【０００２】
本願発明者は、駐車場の予約を、１日単位ではなく時間単位等の短いスパンで行うことを可能とする駐車予約システムの提案を行っている（特許文献１参照）。この特許文献１におけるシステムは、駐車場の予約を行う際に、実際に予約が行われている時間帯の近辺で予約が行われようとする際に、その駐車場において蓄積された多くのデータを参照して、予約の重複を避けることができるように余裕時間を設定し、予約の登録を行っている。
【０００３】
この特許文献１における駐車予約システムによれば、この余裕時間は、駐車場の利用率の向上を図るために、極力短くするようになっている。よって、上記駐車予約システムでは、その駐車場の事情に応じて極力利用率を高めることができる。一方で、上記余裕時間が、その駐車場において蓄積された多くのデータを参照して求められているため、利用者の駐車時間超過のようなアクシデントの確立が極めて低くなっている。
【０００４】
上記駐車予約システムにおいて、利用者によって予約が行われると、予約時刻の所定時間前に、予約が行われた駐車スペースに設置されたフラップを起立させることにより、予約利用者以外の非予約利用者が駐車できないようになる。
【０００５】
一方で、上記駐車予約システムでは、予約利用者以外の非予約利用者についても、空きの駐車スペースがあれば駐車することが可能である。駐車スペースが駐車可能か否かは、駐車場における表示板を確認するか、駐車スペースのフラップが起立しているか収納しているかを確認することにより行うことができる。
【先行技術文献】
【特許文献】
【０００６】
【特許文献１】特許５９８４０７６号公報
【発明の概要】
【発明が解決しようとする課題】
【０００７】
ところで、近年においては、利用者がスマートフォン等の携帯端末によって駐車場の予約を行うことが一般的になってきている。また、利用者によっては、予め時間の余裕を持って予約を行う人のみならず、駐車したい時刻の直前で予約を入れる利用者も存在する。
【０００８】
上記特許文献１に記載の駐車予約システムにおいては、駐車したい時刻の直前で予約の操作を行う利用者があった場合、予約希望時刻が入力されると、その利用者に指定された駐車場での予約可能時刻に予約が可能であるか否かが判定される。駐車予約システムによって、その時刻の予約が確立した場合は、前記システムによって該当する駐車スペースのフラップを作動させて起立させる動作を行う。
【０００９】
ところが、利用者の予約のリクエストがあった際に、予約が可能と判断された場合であっても、その後の利用者の予約の手続に時間がかかり、リクエストがあった時刻から実際の予約の確定までの間にタイムラグが生じるおそれがある。
【００１０】
このタイムラグの間に、仮に非予約利用者がその駐車スペースに実際に車を駐車しようとした場合は、その時点では予約が確定していないために駐車が可能となる。そうすると、予約をしようとした利用者側では、実際の予約を確定しようとしたときに予約不可になってしまうという不都合がある。
【００１１】
本発明は、駐車予約システムの改良を目的とし、さらに詳しくは、利用予定者によって直前の予約が行われた際に、当該利用予定者を優先させ、非予約利用者とのバッティングを生じさせることなく予約が可能な駐車予約システムを提供することを目的とする。
【課題を解決するための手段】
【００１２】
上記目的を達成するために、本発明の一態様の駐車予約システムは、複数の駐車スペースを有する駐車エリアにおいて、駐車予約を管理する駐車場の駐車予約システムであって、前記複数の駐車スペースは、予約利用者の予約が設定されるとともに非予約利用者の利用も可能とした少なくとも一つの予約用の第１駐車スペースと、前記予約利用者の予約が設定されている前記予約用の第１駐車スペースが前記非予約利用者に利用されているときに前記予約用の第１駐車スペースに代えて前記予約利用者に利用させる少なくとも一つの予備用の第２駐車スペースとを含み、前記駐車スペースへの進入の可否を制御する進入制限装置と、前記駐車スペース又は前記駐車エリアに接近する車両の識別を行う車両識別装置と、前記予約利用者からの駐車予約の処理を行う予約管理装置とを備え、前記進入制限装置は、制限側に保持された状態で、駐車可能又は駐車不可を表示する駐車可能表示部と、前記駐車可能表示部が駐車可能を表示しているときに前記進入制限装置の制限側に保持された状態を前記非予約利用者が解除可能にする制限解除部とを備え、前記予約管理装置は、予め登録がなされた登録車両に関する情報を記憶する登録情報データベースと、前記駐車スペースの予約状況を記憶する予約情報データベースとを参照し、これから予約をしようとする利用予定者から駐車予約の申し込み受付があったとき、前記申し込み受付から予約完了までの間は、制限側に保持された前記進入制限装置のうち少なくとも一つの前記進入制限装置の前記駐車可能表示部を駐車不可に表示することを特徴とする。
【００１３】
本発明によれば、これから予約をしようとする利用予定者から予約の申し込み受付があると、申し込み受付から予約完了までの間は、制限側に保持された進入制限装置のうち少なくとも一つの進入制限装置の駐車可能表示部を駐車不可に表示する。これにより、利用予定者が第１駐車スペースを選んでいる間に、非予約利用者が駐車エリアに入ってきても、駐車可能表示部が駐車不可に表示された進入制限装置のある第１駐車スペースが、非予約利用者に利用されることなく利用予定者に確保される。
【００１４】
このため、利用予定者は時間をかけてゆっくりと選んで第１駐車スペースを予約することができる。また、仮に利用予定者が利用しようとしている駐車エリアの第１駐車スペースが残り一つであっても、利用予定者は非予約利用者よりも優先されて残り一つの第１駐車スペースを予約することができる。このように、利用予定者によって直前の予約が行われた場合であっても、非予約利用者とのバッティングが生じることなく駐車スペースを予約することができる。
【００１５】
本発明においては、前記予約管理装置は、前記申し込み受付があったとき、予約開始時刻の前に余裕をとるための間隔最小値を付加した時刻が、現時点と重なっている場合に、前記申し込み受付から予約完了までの間は、制限側に保持された前記進入制限装置のうち少なくとも一つの前記進入制限装置の前記駐車可能表示部を駐車不可に表示してもよい。
【００１６】
予約管理装置は、予約開示時刻の前に間隔最小値を付加した時刻が、現時点と重なっている場合に、進入制限装置の駐車可能表示部を駐車不可に表示するので、予約開始時刻が現時点から大きく時間が空いているときなど無駄に進入制限装置の駐車可能表示部を駐車不可に表示することなく、効率よく予約用の第1駐車スペースを使用することができる。
【００１７】
本発明においては、使用されていない前記駐車スペースでは、全ての前記進入制限装置が制限側に保持された状態としてもよい。仮に予約完了となってから進入制限装置が制限側に保持されると、利用予定者の駐車予約の申し込み受付から予約完了までの間に、進入制限装置の駐車可能表示部を駐車不可に表示しただけでは非予約利用者が駐車スペースに進入する虞がある。この点、本発明では全ての進入制限装置が制限側に保持された状態であるので、利用予定者の駐車予約の申し込み受付から予約完了までの間、確実に非予約利用者の駐車スペースへの進入を防ぎ、利用予定者を優先させて非予約利用者とのバッティングが生じることなく駐車スペースを予約することができる。
【００１８】
本発明においては、前記予備用の第２駐車スペースの前記進入制限装置は、前記予約管理装置によって割り振られた前記予約利用者が前記予備用の第２駐車スペースを利用する場合のみ、前記駐車可能表示部を駐車可能に表示してもよい。予約管理装置によって割り振られた予約利用者が予備用の第２駐車スペースを利用する場合のみ、駐車可能表示部を駐車可能に表示することで、第２駐車スペースを予約利用者のみ利用可能にでき、非予約利用者よりも優先させて予約利用者に駐車スペースを利用させることができる。
【００１９】
本発明においては、前記駐車可能表示部は、色、記号又は文字の少なくとも一つで駐車可能かどうかを表示してもよい。駐車可能表示部を、色、記号又は文字の少なくとも一つで表示することで駐車エリア又は駐車スペースに近づいてきた非予約利用者にその駐車スペースが予約されていることを容易に認識させることができる。
【００２０】
本発明においては、前記予約管理装置は、これから予約をしようとする利用予定者の駐車予約の申し込み受付から予約完了までの間に、前記駐車スペース又は前記駐車エリアに接近する車両があることを、前記利用予定者に知らせる通知部を備えていてもよい。利用予定者は、駐車予約の申し込み中に通知部によって駐車スペース又は駐車エリアに接近する車両があることを知ることができるので、利用予定者は利用決定の判断材料とすることができる。
【００２１】
本発明においては、前記予約管理装置は、前記利用予定者の携帯端末から予約可能としてもよい。利用予定者は、携帯端末から予約することで、場所を選ばずどこからでも駐車予約することができる。
【００２２】
本発明においては、前記制限解除部は、前記非予約利用者が操作可能な解除スイッチを備えていてもよい。制限解除部は解除スイッチを備えているので、非予約利用者がスマートフォンなどの携帯端末を所有していない場合であっても、進入制限装置の制限側に保持された状態を解除して駐車スペースを利用することができる。
【００２３】
本発明においては、前記制限解除部は、前記駐車スペース毎に割り振られているとともに前記非予約利用者が携帯端末で認識可能な個別コード部を備えていてもよい。制限解除部は個別コード部を備えているので、例えば個別コード部をＱＲコード（登録商標）として携帯端末で読み取り、携帯端末上に解除するための表示をさせることで、手を汚すことなく進入制限装置の制限側に保持された状態を解除して駐車スペースを利用することができる。
【発明の効果】
【００２４】
本発明によれば、利用予定者によって直前の予約が行われた場合であっても、当該利用予定者を優先して非予約利用者とのバッティングを生じさせることなく駐車スペースを予約することができる。
【図面の簡単な説明】
【００２５】
【図１】本発明の一実施形態に係る駐車予約システムが有する駐車管理装置及び予約管理サーバ装置、ならびに、この駐車予約システムとネットワークを介して接続される利用者端末及び情報サーバ装置を示す図である。
【図２】図１の駐車管理装置が設置された駐車場を模式的に示す図である。
【図３】図２の駐車場の駐車スペースを説明する図である。
【図４】図１の駐車管理装置の概略構成を示す機能ブロック図である。
【図５】図１の予約管理サーバ装置で管理する予約設定情報を模式的に示す図である。
【図６】図１の駐車管理装置で実行される利用者案内処理の一例を示すフローチャートである。
【図７】図１の予約管理サーバ装置で実行される駐車資源調整処理の一例を示すフローチャートである。
【図８】図１の予約管理サーバ装置で実行される予約設定の基本処理を説明するためのフローチャートである。
【図９】（Ａ）〜（Ｆ）は携帯端末の操作画面の一例を説明する図である。
【図１０】図１の予約管理サーバ装置で実行される予約設定処理の一例を示すフローチャートである。
【発明を実施するための形態】
【００２６】
以下、図面を用いて本発明の実施形態を説明する。なお、図面は、駐車予約システム１を模式的に示すものとする。
【００２７】
図１に示すように、本実施形態の駐車予約システム１は、駐車管理装置１０と、予約管理サーバ装置４０とを有している。駐車予約システム１は、図２に示す複数の駐車スペースＳ１〜Ｓ１０を有する駐車場ＰＡの予約管理を行うものである。
【００２８】
この駐車予約システム１では、予め会員登録を行い氏名及び車両登録番号などを登録しておくことで予約利用が可能となる。以下、予約利用の利用者を予約利用者、予約利用でない利用者を非予約利用者、会員登録をした者であってこれから予約しようとしている申し込み受付から予約完了までの間の者を利用予定者という。
【００２９】
駐車管理装置１０と予約管理サーバ装置４０とは、例えばインターネットなどのネットワークＮを介して接続されている。このネットワークＮには、スマートフォン、車両Ｍに搭載されたカーナビゲーションシステム及びパーソナルコンピュータなどの利用者端末Ｕ１〜Ｕ３が接続されており、これら利用者端末Ｕ１〜Ｕ３はネットワークＮを介して予約管理サーバ装置４０に駐車予約の予約設定要求を送信することで駐車場ＰＡの予約を行う。
【００３０】
また、ネットワークＮには、駐車場ＰＡの所在地域の天候情報、日時情報及び駐車場ＰＡ近隣での催事情報などを含む利用行動関係情報Ｊを提供する情報サーバ装置７０が接続されている。予約管理サーバ装置４０は情報サーバ装置７０と通信を行って利用行動関係情報Ｊを取得する。なお、日時情報については、予約管理サーバ装置４０が有する計時部から取得してもよい。
【００３１】
以下、駐車管理装置１０及び予約管理サーバ装置４０について順に説明する。
【００３２】
図２〜図４に示すように、駐車管理装置１０は、制御装置２０と、複数の駐車スペースＳ１〜Ｓ１０のそれぞれに対応して設けられた進入制限装置Ｂ１〜Ｂ１０と、ループコイルＣ１〜Ｃ１０と、各駐車スペースＳ１〜Ｓ１０それぞれ設けられた個別の車両識別装置（カメラ）Ｄ１〜Ｄ１０とを有している。個別の車両識別装置（カメラ）Ｄ１〜Ｄ１０は、各駐車スペースＳ１〜Ｓ１０の後部に設置されたポールＰ１〜Ｐ１０に設けられている。
【００３３】
進入制限装置Ｂ１〜Ｂ１０は、起立又は収納されることにより車両Ｍの各駐車スペースＳ１〜Ｓ１０への入出庫の可否を制御するものであり、本実施形態では、常時制限側に保持された状態（起立した状態）となっている。一方で、進入制限装置Ｂ１〜Ｂ１０は、車両Ｍの入出庫時には制限が解除された状態（収納した状態）となる。
【００３４】
進入制限装置Ｂ１〜Ｂ１０は、制限側に保持された状態で、駐車可能又は駐車不可を表示する駐車可能表示部Ｌ１〜Ｌ１０と、駐車可能表示部Ｌ１〜Ｌ１０が駐車可能を表示しているときに進入制限装置Ｂ１〜Ｂ１０の制限側に保持された状態を非予約利用者が解除可能とする制限解除部Ｋ１〜Ｋ１０とを備えている。
【００３５】
進入制限装置Ｂ１〜Ｂ１０は、常時制限側に保持されているが、非予約利用者であっても駐車場ＰＡの掲示板や駐車可能表示部Ｌ１〜Ｌ１０等を見て駐車可能の表示であれば、制限解除部Ｋ１〜Ｋ１０を操作することで進入制限装置Ｂ１〜Ｂ１０の制限を解除することができる。
【００３６】
駐車可能表示部Ｌ１〜Ｌ１０は、色及び記号で駐車可能かどうかを表示するものである。例えば、駐車可能表示部Ｌ１〜Ｌ１０が、「緑色」のランプ及び「○」の記号を表示することで駐車可能とし、「赤色」のランプ及び「×」の記号を表示することで駐車不可としてもよい。また、駐車可能表示部Ｌ１〜Ｌ１０は、例えばＬＥＤであり、ランプ自体を光らせるようにしても、記号又は文字自体を光らせるようにしてもよい。これらの記号や色は、適宜変更することができ、上記例示とは異なる形態とすることができる。
【００３７】
カメラＤ１〜Ｄ１０は、各駐車スペースＳ１〜Ｓ１０において、車両Ｍの入庫の有無を判定するために用いられる。カメラＤ１〜Ｄ１０は、車両Ｍを撮像し、当該撮像情報を制御部３０に対して出力し、制御部３０は撮像情報から車両Ｍの車両登録番号を取得して車両Ｍの識別を行うことができる。また、ループコイルＣ１〜Ｃ１０は、各駐車スペースＳ１〜Ｓ１０において車両Ｍが駐車されているか否かを判定するために用いられる。
【００３８】
進入制限装置Ｂ１〜Ｂ１０を代表して図３に示す進入制限装置Ｂ１で詳しく説明する。進入制限装置Ｂ１は、駐車スペースＳ１の路面に固定された固定部３１と、この固定部３１に回動可能に設けられた抑止部３２と、この抑止部３２の先端側に設けられた駐車可能表示部Ｌ１及び制限解除部Ｋ１とを備えている。抑止部３２は、固定部３１に内蔵されたモータ（不図示）により回動され、起立することで車両Ｍの入出庫が規制される。モータ、駐車可能表示部Ｌ１及び制限解除部Ｋ１は、制御部３０に繋がっている。
【００３９】
なお、駐車可能表示部Ｌ１〜Ｌ１０は、色、記号又は文字の少なくとも一つで駐車可能かどうかを表示すればよく、さらには、色、記号又は文字が、駐車可能かどうかが認識できれば光っていても光っていなくでもどちらでも差し支えない。また、駐車可能表示部Ｌ１〜Ｌ１０を点灯させることにより車両Ｍを複数の駐車スペースＳ１〜Ｓ１０のいずれかに案内するようにしてもよい。
【００４０】
また、制限解除部Ｋ１〜Ｋ１０は解除スイッチである。制限解除部Ｋ１〜Ｋ１０を誰でも操作可能な解除スイッチとすることで、非予約利用者がスマートフォンなどの携帯端末を所有していない場合であっても、進入制限装置の制限側に保持された状態を解除して駐車スペースを利用することができる。
【００４１】
なお、実施形態では制限解除部Ｋ１〜Ｋ１０を解除スイッチとしたが、これに限定されず、駐車スペースＳ１〜Ｓ１０毎に割り振られているとともに非予約利用者が携帯端末で認識可能な個別コード部Ｔ１〜Ｔ１０として解除スイッチの近傍に配置してもよい。例えば、個別コード部をＱＲコード（登録商標）とすることで、非予約利用者が携帯端末で読み取り、アプリケーションが自動起動することで携帯端末上に解除するための表示を行う。これによれば、非予約利用者は、携帯端末を操作することで、手を汚すことなく進入制限装置の制限側に保持された状態を解除して駐車スペースを利用することができる。
【００４２】
制御装置２０は、入庫表示部２１、出庫表示部２２、入庫操作部２３、出庫操作部２４、駆動部２５、車両検出部２６、車両識別装置としてのカメラ２７及び通信部２８と、これら機能部が接続された制御部３０を有している。
【００４３】
入庫表示部２１及び出庫表示部２２は、例えば、液晶ディスプレイや有機ＥＬディスプレイなどのフラットパネルディスプレイで構成されている。入庫表示部２１は、駐車場ＰＡの入場口ＩＮ側に向けて配設されており、出庫表示部２２は、駐車場ＰＡの退場口ＯＵＴ側に向けて配設されている。入庫表示部２１及び出庫表示部２２は、制御部３０から出力された表示制御情報に基づき、入庫すべき駐車スペースの番号や駐車料金、駐車日時などの各種数値、及び、テンキーボタンや操作ボタンなどの操作アイテムを表示する。
【００４４】
入庫操作部２３は、入庫表示部２１の表示面に重ねて配置されたタッチパネルを有している。同様に、出庫操作部２４も、出庫表示部２２の表示面に重ねて配置されたタッチパネルを有している。入庫操作部２３及び出庫操作部２４のタッチパネルは、入庫表示部２１又は出庫表示部２２に表示された上記操作アイテムに対応する箇所に利用者によってタッチ操作が入力され、当該タッチ操作に応じた操作情報を制御部３０に対して出力する。
【００４５】
なお、入庫操作部２３及び出庫操作部２４は、タッチパネルに代えて押しボタンスイッチを有していてもよい。また、入庫操作部２３は駐車カード取出口をさらに有しており、出庫操作部２４は、駐車カード挿入口及び料金投入口をさらに有している。
【００４６】
駆動部２５は、進入制限装置Ｂ１〜Ｂ１０、駐車可能表示部Ｌ１〜Ｌ１０及び制限解除部Ｋ１〜Ｋ１０が接続されており、これらに設けられたモータ、表示部又はランプなどを駆動、表示又は点灯する回路を有している。駆動部２５は、制御部３０から出力された駆動制御情報に基づきこれらを駆動、表示又は点灯させる。
【００４７】
車両検出部２６は、ループコイルＣ１〜Ｃ１０が接続されており、各駐車スペースＳ１〜Ｓ１０への車両Ｍの入出庫に伴うループコイルＣ１〜Ｃ１０のインダクタンスの変化を検出する回路を有している。車両検出部２６は、検出したループコイルＣ１〜Ｃ１０のインダクタンスの変化に基づいて生成した車両Ｍの入出庫状態を示す入出庫状態情報を制御部３０に対して出力する。制御部３０は、この入出庫状態情報に基づき駐車スペースＳ１〜Ｓ１０に車両Ｍが入庫しているか否かを判定する。
【００４８】
車両識別装置（以下、カメラという）２７は、入場口ＩＮにおいて停止線Ｗの手前に停車している車両Ｍのナンバープレートを撮像する。カメラ２７は、撮像情報を制御部３０に対して出力し、制御部３０は撮像情報から車両Ｍの車両登録番号を取得して車両Ｍの識別を行う。
【００４９】
通信部２８は、制御部３０をネットワークＮに接続して、制御部３０と予約管理サーバ装置４０との通信を可能とする。
【００５０】
制御部３０は、制御装置２０全体の動作を司る機能部であり、ＣＰＵ、ＲＯＭ、ＲＡＭ及び各種インタフェースを備えたマイクロコンピュータを有している。制御部３０は、進入制限装置Ｂ１〜Ｂ１０の起立・収納処理、駐車可能表示部Ｌ１〜Ｌ１０の表示制御処理又は点灯処理、制限解除部Ｋ１〜Ｋ１０の制限解除処理、車両Ｍの入庫状況確認処理、入庫表示部２１及び出庫表示部２２の表示制御処理、入庫操作部２３及び出庫操作部２４に入力された操作に応じた入出庫処理などの各種処理を実行する。
【００５１】
駐車場ＰＡの複数の駐車スペースＳ１〜Ｓ１０は、後述する予約管理サーバ装置４０によって、図５に例示するように予約用の第１駐車スペースと予備用の第２駐車スペースのいずれかに割り当てられている。予約用の第１駐車スペースは、予約利用者の予約が設定されるとともに非予約利用者の利用も可能とした駐車スペースである。予備用の第２駐車スペースは、予約利用者の予約が設定されている予約用の第１駐車スペースが非予約利用者に利用されているときにこの予約用の第１駐車スペースに代えてこの予約利用者に利用させる駐車スペースである。
【００５２】
予約用の第１駐車スペース及び予備用の第２駐車スペースの数は可変であり、初期値として予約用の第１駐車スペースが７つ、予備用の第２駐車スペースが３つに設定されている。予約用の第１の駐車スペース及び予備用の第２駐車スペースは、初期状態において進入制限装置を起立させて車両Ｍが入庫できないようにしている。
【００５３】
予約用の第１の駐車スペースについては、現時点で予約や非予約利用者の利用が可能な駐車スペースでは、駐車可能表示部が駐車可能の表示となっており、現時点で予約等ができない駐車スペースでは駐車不可の表示となっている。一方で、予備用の第２駐車スペースは駐車可能表示部が駐車不可の表示となっている。
【００５４】
予約管理サーバ装置４０（以下、単に「サーバ装置４０」とも言う。）は、駐車場ＰＡの予約管理を行うコンピュータを有している。サーバ装置４０は、制御を司る制御部と、ハードディスク装置などの図示しない記憶部を有している。この記憶部には駐車場ＰＡの会員登録情報及び図５に示す予約設定情報などが記憶されている。
【００５５】
会員登録情報には、例えば、予約利用者の氏名、年齢、性別、運転歴、職業及び運転免許書の色（ゴールド、ブルー）などの当該予約利用者の属性に係る情報及び車両登録番号が含まれる。なお、利用者端末Ｕ１〜Ｕ３から予約管理サーバ装置４０に送信される予約設定要求に、ビジネス利用、プライベート利用、会食、ミーティングなどの利用目的を含めて、予約利用者の属性に係る情報として取り扱ってもよい。
【００５６】
サーバ装置４０（具体的には制御部）は、駐車場ＰＡの駐車資源としての予備数Ｒ及び間隔最小値Ｑの設定を行うとともに、利用者端末Ｕ１〜Ｕ３からの予約設定要求に応じて駐車スペースの予約設定を行う。
【００５７】
また、サーバ装置４０は、後述する駐車資源調整処理Ｓ２００において、情報サーバ装置７０から取得した利用行動関係情報Ｊを用いて、予備数Ｒ及び間隔最小値Ｑを設定する。
【００５８】
ここで、利用行動関係情報Ｊとは、予約利用者及び非予約利用者のうちの少なくとも一方の利用者における駐車場ＰＡの利用行動に影響を及ぼす事象を示す情報である。例えば、駐車場ＰＡの所在地域の天候、日時、及び、駐車場ＰＡ近隣の催事などの事象が利用行動関係情報Ｊに含まれる。
【００５９】
サーバ装置４０の記憶部には、利用行動関係情報Ｊ（天候、日時及び催事）と予備数Ｒに設定すべき予備数設定値Ｒｓ及び間隔最小値Ｑに設定すべき間隔最小値設定値Ｑｓとの関係を示す関係性情報Ｋが記憶されている。この関係性情報Ｋの詳細は、本願発明者等の特許第５９８４０７６号の明細書に記載されている。
【００６０】
サーバ装置４０は、利用行動関係情報Ｊ（天候情報、日時情報及び催事情報）を関係性情報Ｋに当てはめることにより特定される予備数設定値Ｒｓ及び間隔最小値設定値Ｑｓを予備数Ｒ及び間隔最小値Ｑとして動的に設定する。
【００６１】
サーバ装置４０は、設定した予備数Ｒに基づき、駐車場ＰＡの複数の駐車スペースＳ１〜Ｓ１０のうちの一部分を予約用の第１駐車スペースに割り当て、他部分を予備用の第２駐車スペースに割り当てて、制御装置２０にこれら割り当てに係る情報を送信する。制御装置２０は、この情報に応じて進入制限装置Ｂ１〜Ｂ１０の駐車可能表示部Ｌ１〜Ｌ１０を駐車不可に表示させて予備数Ｒに示される数の予備用の第２駐車スペースを確保する。
【００６２】
本実施形態において、一例として、サーバ装置４０は、上記割り当てに係る情報を定期的（例えば１時間毎）に制御装置２０に送信する。制御装置２０は、当該情報を受信したタイミングで予備用の第２駐車スペースを確保し、そのタイミングで予備用の第２駐車スペースの確保ができない場合は駐車スペースの空きが出るまで待つ。又は、サーバ装置４０は、現在時刻に係る予備数設定値Ｒｓを更新したときは、当該更新タイミングで上記割り当てに係る情報を制御装置２０に送信する。
【００６３】
また、サーバ装置４０は、予約用の第１駐車スペースにすでに設定されている予約に係る予約期間とこの予約用の第１駐車スペースに新たに設定される予約に係る予約期間との間隔が間隔最小値Ｑより小さくならないように新たな予約の設定を行う。本実施形態において、間隔最小値Ｑの初期値は１時間に設定されている。
【００６４】
また、本実施形態において、サーバ装置４０の制御部は、予備数設定部、間隔最小値設定部、予約設定部、余裕期間設定部及び関係性情報更新部などの各種機能部として機能する。サーバ装置４０の記憶部は、関係性情報記憶部及び行動情報記憶部などの各種記憶部として機能する。
【００６５】
次に、制御部３０の基本制御方法として、申し込み受付から予約完了までの間の利用予定者がいない状態（申し込み受付中ではない状態）における、制御部３０の制御方法について説明する。
【００６６】
制御部３０は、駐車場ＰＡに予約利用者が到着すると図６に示す利用者案内処理Ｓ１００を実行する。この利用者案内処理Ｓ１００において、制御部３０は、予約利用者が到着したとき、予約が設定されている予約用の第１駐車スペースが空いているとこの予約用の第１駐車スペースに予約利用者を案内し、この予約用の第１駐車スペースが空いていないと空いている予備用の第２駐車スペースに予約利用者を案内する。また、制御部３０は、非予約利用者が到着したとき、空いている予約用の第１駐車スペースに非予約利用者を案内する。
【００６７】
具体的には、利用者案内処理Ｓ１００において、制御部３０は、予約利用者が到着したか否かを判定する（Ｓ１１０）。すなわち、制御部３０は、車両Ｍが入場口ＩＮで停車するとカメラ２７で車両Ｍのナンバープレートを撮像して車両Ｍの車両登録番号を取得し、そして、取得した車両登録番号に対応する予約が設定されているか否かを予約管理サーバ装置４０の登録情報データベース及び予約情報データベース（不図示）に照会する。
【００６８】
そして、制御部３０は、予約管理サーバ装置４０から車両登録番号に対応する予約が設定されている旨の応答があると予約利用者が到着したものとして（Ｓ１１０でＹ）、予約利用者の予約が設定された予約用の第１駐車スペースが空いていれば（Ｓ１２０でＹ）、その予約用の第１駐車スペースにある進入制限装置の駐車可能表示部を駐車可能の表示とするとともに進入制限装置の制限を解除して予約利用者を案内する（Ｓ１３０）。
【００６９】
このとき、制御部３０は、予約された第１駐車スペースが図２におけるＳ５の場合、駐車スペースＳ５の駐車可能表示部Ｌ５の「緑色」で「○」形のランプを点滅させて予約利用者を駐車スペースＳ５に誘導する。予約利用者の車両Ｍが駐車スペースＳ５に接近し、ポールＰ５に設けられたカメラＤ５によって車両Ｍの接近が検知されたときは、制御部３０は進入制限装置Ｂ５を起立状態から収納状態へと移行させる。
【００７０】
このように、進入制限装置Ｂ５が収納状態になると、車両Ｍが駐車スペースＳ５に進入することができるようになるので、予約利用者は予約通りに車両Ｍを駐車させることができる。
【００７１】
一方で、予約利用者の予約が設定された予約用の第１駐車スペースが現在空いていなければ（Ｓ１２０でＮ）、制御部３０は、空いている予備用の第２駐車スペースにある進入制限装置の駐車可能表示部を駐車可能の表示とするとともに進入制限装置の制限を解除して予約利用者を案内する（Ｓ１４０）。
【００７２】
また、予約管理サーバ装置４０から車両登録番号に対応する予約が設定されていない旨の応答があったときは、制御部３０は、非予約利用者が到着したものとして（Ｓ１１０でＮ）、空いている予約用の第１駐車スペースの進入制限装置の駐車可能表示部を駐車可能に表示するとともに進入制限装置の制限を解除して非予約利用者を案内する（Ｓ１５０）。なお、空いている予約用の第１駐車スペースがない場合、非予約利用者に駐車スペースに空きがないことを通知し、駐車場ＰＡ内を通過して他の場所に移動するように促す。
【００７３】
次に、駐車資源調整処理Ｓ２００について、図７を参照して具体的に説明する。サーバ装置４０は、定期的（例えば１時間毎）に駐車資源調整処理Ｓ２００を実行する。
【００７４】
駐車資源調整処理Ｓ２００において、まず、サーバ装置４０は、情報サーバ装置７０に対して利用行動関係情報Ｊを要求する（Ｓ２１０）。サーバ装置４０の要求に応じて情報サーバ装置７０から利用行動関係情報Ｊが送信され、サーバ装置４０は、この利用行動関係情報Ｊに含まれる天候情報、日時情報及び催事情報を取得する（Ｓ２２０〜Ｓ２４０）。
【００７５】
サーバ装置４０は、これら天候情報、日時情報及び催事情報を用いて、予備数Ｒ及び間隔最小値Ｑを設定する（Ｓ２５０、Ｓ２６０）。具体的には、サーバ装置４０は、天候情報、日時情報及び催事情報を記憶部に記憶されている関係性情報Ｋに当てはめることにより特定した予備数設定値Ｒｓ及び間隔最小値設定値Ｑｓを予備数Ｒ及び間隔最小値Ｑとして設定する。
【００７６】
次に、予約設定処理Ｓ３００の基本制御について図８に示すフローチャートで説明する。予約設定処理Ｓ３００において、サーバ装置４０は、利用者端末Ｕ１〜Ｕ３のいずれかから予約設定要求があると（Ｓ３１０）、この予約設定要求に示される予約要求期間において利用可能な予約用の第１駐車スペースがあるか否かを判定する（Ｓ３２０）。
【００７７】
具体的には、サーバ装置４０は、記憶部に記憶されている予約設定情報を確認し、各予約用の第１駐車スペースに既に設定されている予約に係る予約期間の前後に上記間隔最小値Ｑを付加した期間（すなわち、予約期間の前後にマージンを設けた期間）を利用不可とし、それ以外の期間を利用可能とする。そして、サーバ装置４０は、この利用可能な期間に上記予約要求期間を当てはめることができるか否かを確認する。
【００７８】
サーバ装置４０は、利用可能な予約用の第１駐車スペースがあると（Ｓ３２０でＹ）、この予約用の第１駐車スペースに上記予約要求期間に対応する新たな予約期間を設定して（Ｓ３３０）、予約設定要求をした利用者端末に対して予約ＯＫを通知する（Ｓ３４０）。
【００７９】
一方で、利用可能な予約用の第１駐車スペースがないときは（Ｓ３２０でＮ）、サーバ装置４０は、新たな予約期間の設定を行わずに予約設定要求をした利用者端末に対して予約ＮＧを通知する（Ｓ３５０）。
【００８０】
次に、利用予定者がこれから予約しようとして申し込み受付を行う際の利用者端末の操作の一例を説明する。
【００８１】
具体的には、図９（Ａ）〜図９（Ｆ）に示すように、利用者端末を情報表示部及びタッチパネル５０を有するスマートフォンである場合を例にして説明する。また、登録情報としては、ユーザの氏名、住所、電話番号、自己の車両（登録車両）の車両ナンバー等であり、登録情報データベースに登録されている。
【００８２】
利用予定者がＹ年Ｍ月Ｄ日の１７時から２０時の時間帯に、Ａ駐車場の予約する場合、ユーザ端末Ｕ１から予約ＨＰにアクセスして、図９（Ａ）に示すように予約画面５１を呼び出す。予約画面５１は、駐車場検索ボタン５１ａと履歴検索ボタン５１ｂを備えている。
【００８３】
駐車場検索ボタン５１ａを押すと、図９（Ｂ）に示す駐車場検索画面５２が表示される。駐車場検索画面５２では、住所やキーワードを入力するキーワード入力枠５２ａと、日付を入力する日付入力枠５２ｂと、駐車場の予約を行う時間帯を指定する時刻入力部５２ｃとが表示される。キーワード入力枠５２ａには、ユーザが使用したい施設、例えば駅や映画館等の施設名や、住所等を入力する。
【００８４】
日付入力枠５２ｂは、図示しないソフトキーボードから直接入力してもよく、カレンダー表示で希望する日付をタップ（指やタッチ操作ペンなどで比較的短い期間画面に接触する）して日付を入力するようにしてもよい。
【００８５】
時間帯の入力は、図９（Ｂ）に示すように、時間帯を示すバー表示である時刻入力部５２ｃに沿って、指をスワイプする（画面の表面に指を接触させて一方向に滑らせたのち画面の表面から離す）ことにより入力できる。時刻入力部５２ｃを指でタッチすると、時刻入力部５２ｃの上方に時刻表示が表示される。時刻表示が希望の時刻であったときは、指を時刻入力部５２ｃに沿ってスワイプすると、指の動きに応じて指の位置の近くに時刻表示が表れ、スワイプの動きに従って時刻が変更されるので、希望の時刻になったら指をバー表示から離せば希望の時間帯の入力ができる。
【００８６】
ユーザは、駐車場検索画面５２において、キーワードと希望する時間帯を入力した後、検索ボタン５２ｄをタップすると、図９（Ｃ）又は（Ｄ）に示す検索結果表示画面が表示される。図９（Ｃ）は地図表示の検索結果画面５４を示し、図９（Ｄ）はリスト表示の検索結果画面５５を示している。
【００８７】
図９（Ｃ）に示す検索結果画面５４では、利用予定者に対してお勧めの駐車場Ａのアイコン５４ａがハイライト表示されている。この地図表示の検索結果画面５４によって、利用予定者は目的地近辺の駐車場の位置を把握することができる。
【００８８】
利用予定者は、各駐車場の料金等を比較して検索したいときは、検索結果画面５４のリスト表示ボタン５４ｂをタップする。すると、図９（Ｄ）に示すリスト表示形式の検索結果画面５５が表示される。検索結果画面５５では、各駐車場を料金順に表示させる料金順ボタン５５ａと、目的地からの距離順に表示させる距離順ボタン５５ｂと、地図表示画面に移行する地図表示ボタン５５ｃが設けられている。
【００８９】
検索結果画面５５では、各駐車場の様子を示す写真と、駐車場の名称と、１時間当たりの料金が表示される。また、図９（Ｄ）に示されているＡ駐車場及びＢ駐車場以外の駐車場は、画面を上方にスワイプすることにより画面上に表示させることができる。
【００９０】
利用予定者は、希望する駐車場が見つかったときは、検索結果画面５４又は５５の画面上で、希望する駐車場を示す部分、例えば希望の駐車場の写真や駐車場の名称をタップする。本実施形態においては、サーバ装置４０は、このタップをもって、利用したい駐車場の予約の申し込み受付があったものとする。
【００９１】
すると、図９（Ｅ）に示すように、利用者端末Ｕ１の画面上に、選択した駐車場の情報が表示される。この予約状況確認画面５６においては、Ａ駐車場のＹ年Ｍ月Ｄ日の複数の駐車スペースの予約状況が確認できる。
【００９２】
図９（Ｅ）における予約状況確認画面５６では、Ａ駐車場は、駐車スペース０１と０３は１７時から２０時の間に他車の予約が入っているため予約することができないが、駐車スペース０２及び０４は１７時から２０時の時間帯に空きがある。
【００９３】
そこで、利用予定者が予約状況確認画面５６の駐車スペース０２の時間表示バー５６（０２）をタップすると、利用者端末Ｕ１の画面上に図９（Ｆ）の予約確認画面５７が表示される。この予約確認画面５７においては、予約したい駐車場であるＡ駐車場の写真５７ａ、駐車可能な条件を示す車両制限５７ｂの情報と、駐車場を利用する時間帯５７（０２）、及びこの時間帯５７（０２）で駐車した場合の駐車料金表示５７ｃが表示されている。
【００９４】
利用予定者は、この予約確認画面５７に表示された条件で駐車場を予約したい場合は、ＯＫボタン５７ｄをタップする。条件等を変更したい場合は戻るボタン５７ｅを押して元の画面に戻って再度条件の設定を行うことができる。以上の操作でＡ駐車場の駐車スペース０２の１７時から２０時の時間帯の駐車予約が終了する。このように、ＯＫボタン５７ｄをタップすることで予約設定要求が送信されて予約完了となる。
【００９５】
また、利用者端末には、申し込み受付後の図９（Ｅ）、図９（Ｆ）の画面表示中に、予約しようとして選択中の駐車場に車両が入ってきたことを通知する通知部５８が設けられている。この通知部５８は、これから予約をしようとする利用予定者の駐車予約の申し込み受付から予約完了までの間に、駐車スペース又は駐車エリアに接近する非予約利用者の車両があることを、利用予定者に知らせる表示である。
【００９６】
非予約利用者の車両の認識は、車両識別装置（カメラ）２７と個別の車両識別装置（カメラ）Ｄ１〜Ｄ１０との少なくとも一つで車両のナンバープレートを撮像し、撮像されたナンバーを予約管理装置サーバ４０に送信して予約情報データベースと照合することで行われる。
【００９７】
ここで、予約予定者が戻るボタン５７ｅをタップして、別画面へ戻っている間や予約状況確認画面５６を見ている間に、予約しようとしている駐車場に非予約利用者が入ってくることがある。この場合、従来の駐車予約システムでは非予約利用者が利用予定者の予約完了よりも先に駐車スペースに駐車してしまい、せっかく利用予定者が予約の申し込み受付をしたのにも関わらず、利用予定者が予約できなくなるおそれがある。
【００９８】
しかしながら、本発明では、制御部３０が以下に説明する制御を行うことで、利用予定者が非予約利用者よりも優先される。
【００９９】
本発明の制御方法として、利用予定者が申し込み受付をしてから予約完了までの間（申し込み受付中の状態）に、非予約利用者が駐車場ＰＡに入ってくる場合を考慮したサーバ装置４０の予約設定処理Ｓ４００の制御について図１０に示すフローチャートで説明する。
【０１００】
予約設定処理Ｓ４００において、サーバ装置４０は、利用予定者の利用者端末から駐車場ＰＡの予約の申し込み受付があると（Ｓ４１０）、予約開始時刻の前に余裕をとるための間隔最小値を付加した時刻が、現時点と重なっているか否かを判定する（Ｓ４２０）。
【０１０１】
予約開示時刻の前に余裕をとるための間隔最小値を付加した時刻が、現時点と重なっていると（Ｓ４２０でＹ）、現時点で利用可能な予約用の第１駐車スペースがあるか否かを判定する（Ｓ４３０）。具体的には、サーバ装置４０は駐車場ＰＡの駐車管理装置１０に通信して現時点かつ予約希望時刻で利用可能な予約用の第１駐車スペースあるか否かを判定する。
【０１０２】
ここで、利用可能な予約用の第１駐車スペースあると（Ｓ４３０でＹ）、そのうちの１つの予約用の第１駐車スペースにおける進入制限装置の駐車可能表示部を駐車不可に表示させる（Ｓ４４０）。
【０１０３】
そして、サーバ装置４０は、利用者端末から予約時間が含まれた予約設定要求があったときは（Ｓ４５０でＹ）、進入制限装置の駐車可能表示部を駐車不可にした第１駐車スペースに上記予約要求期間に対応する新たな予約期間を設定して（Ｓ４６０）、申し込み受付をした利用者端末に対して予約ＯＫを通知する（Ｓ４７０）。
【０１０４】
一方、サーバ装置４０は、利用可能な予約用の第１駐車スペースがないときは（Ｓ４３０でＮ）、新たな予約期間の設定を行わずに申し込み受付をした利用者端末に対して予約ＮＧを通知する（Ｓ４８０）。また、サーバ装置４０は、Ｓ４１０の予約設定要求の前に戻り予約期間を選び直すか申し込み受付を中止するかの選び直し画面を利用者端末に表示させる（Ｓ４８０）。
【０１０５】
サーバ装置４０は、利用予定者が予約期間を選び直す場合（Ｓ４８０でＹ）は予約の申し込み受付（Ｓ４１０）の前に処理を戻し、利用予定者が申し込み受付を中止する場合（Ｓ４８０でＮ）は駐車管理装置１０に通信してＳ４４０で駐車不可に表示させた駐車可能表示部を駐車可能に切り替え表示させ（Ｓ４９０）、処理を終了する。
【０１０６】
なお、上記に本発明の本実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。本実施形態では、登録情報データベースと予約情報データベースとを、本発明の駐車予約システムに一体に含まれるものとしたが、これに限定されない。
【０１０７】
例えば、登録情報データベースと予約情報データベースとを、本発明の駐車予約システムに一体に含まれていないものとしても（他のシステムのデータベースを参照するものとしても）差し支えない。また、予約管理装置も、同様であり、登録情報データベースと予約情報データベースとを、本発明の予約管理装置に一体に含まれるものとしても、駐車予約システムに一体に含まれていないものとしても（他のシステムのデータベースを参照するものとしても）、いずれであっても差し支えない。
【０１０８】
また、本実施形態では、申し込み受付があったとき、予約開示時刻の前に余裕をとるための間隔最小値を付加した時刻が、現時点と重なっているか否かを判定し、現時点と重なっている場合に少なくとも一つの進入制限装置の駐車可能表示部を駐車不可に表示することとしたが、これに限定されない。
【０１０９】
例えば、申し込み受付があったとき、予約希望時刻に関わらず、申し込み受付から予約完了までの間は、制限側に保持された進入制限装置のうち少なくとも一つの進入制限装置の駐車可能表示部を駐車不可に表示することとしてもよい。
【０１１０】
また、上記実施形態では、利用予定者による申し込み受付のタイミングを希望の駐車場の写真や駐車場の名称をタップしたタイミングとしたが、これに限定されず、申し込み受付のタイミングを検索結果が表示されたタイミングなど、別のタイミングに適宜設定しても差し支えない。
【０１１１】
また、本実施形態では、駐車場ＰＡの入り口に制御装置２０を配置してこの制御装置２０に、入庫表示部２１、出庫表示部２２、入庫操作部２３、出庫操作部２４、駆動部２５、車両検出部２６、車両識別装置としてのカメラ２７を設けたが、これに限定されず、駐車場ＰＡの入り口には車両識別装置としてのカメラ２７を配置し、入庫表示部２１、出庫表示部２２、入庫操作部２３、出庫操作部２４、駆動部２５などは、各駐車スペースＳ１〜Ｓ１０の個別の車両識別装置Ｄ１〜Ｄ１０を設けたポールＰ１〜Ｐ１０に配置しても差し支えない。
【０１１２】
また、本実施形態では、進入制限装置Ｂ１〜Ｂ１０を駐車スペースＳ１〜Ｓ１０の前部に配置する形式とし、進入制限装置Ｂ１〜Ｂ１０自体に駐車可能表示部Ｌ１〜Ｌ１０及び制限解除部Ｋ１〜Ｋ１０を設けたが、これに限定されず、進入制限装置Ｂ１〜Ｂ１０を駐車スペースＳ１〜Ｓ１０の中央部に配置するフラップとし、駐車可能表示部Ｌ１〜Ｌ１０及び制限解除部Ｋ１〜Ｋ１０を駐車スペースＳ１〜Ｓ１０配置したポールＰ１〜Ｐ１０に設けてもよい。さらには、駐車可能表示部Ｌ１〜Ｌ１０及び制限解除部Ｋ１〜Ｋ１０を駐車場ＰＡの入り口などに配置した制御装置２０に設けてもよい。
【０１１３】
また、実施形態では、駐車可能表示部Ｌ１〜Ｌ１０を「緑色」のランプ及び「○」の記号で駐車可能とし、「赤色」のランプ及び「×」の記号で駐車不可としているが、これらの記号や色は、適宜変更することができ、上記例示とは異なる形態とすることができる。また、駐車可能表示部Ｌ１〜Ｌ１０をＬＥＤとしたが、これに限らず、他の箇所からサーチライトを当ててもよく、蛍光塗料を用いたり、光を発しない色を用いてもよい。また、各駐車スペースＳ１〜Ｓ１０にはループコイルＣ１〜Ｃ１０を設けているが、ポールＰ１〜Ｐ１０に設けられたカメラＤ１〜Ｄ１０によって車両Ｍの駐車状況を認識することにより、ループコイルＣ１〜Ｃ１０の設置を省略することができる。
【０１１４】
また、上記実施形態では、利用者端末Ｕ１がスマートフォンである例について説明したが、その他、カーナビゲーションシステムＵ２やパーソナルコンピュータＵ３を用いても同様である。また、上記実施形態では、画面から情報を入力する例について説明してるが、音声認識によりユーザが「○○（施設名）の駐車場予約。」と音声で予約する場合でも同様である。この場合、この音声の受付によって、予約の申し込み受付（図１０のＳ４１０）としてもよい。
【符号の説明】
【０１１５】
１…駐車予約システム
１０…駐車管理装置
２０…制御装置
２７…車両識別装置（カメラ）
４０…予約管理サーバ装置（予約管理装置）
５８…通知部
ＰＡ…駐車場
Ｓ１〜Ｓ１０…駐車スペース
Ｄ１〜Ｄ１０…個別の車両識別装置（カメラ）
Ｂ１〜Ｂ１０…進入制限装置
Ｌ１〜Ｌ１０…駐車可能表示部（ＬＥＤ、サーチライト、記号、文字）
Ｋ１〜Ｋ１０…制限解除部（解除スイッチ）
Ｔ１〜Ｔ１０…個別コード（ＱＲコード（登録商標））
【図１】
2020091563.tif 000003
【図２】
2020091563.tif 000004
【図３】
2020091563.tif 000005
【図４】
2020091563.tif 000006
【図５】
2020091563.tif 000007
【図６】
2020091563.tif 000008
【図７】
2020091563.tif 000009
【図８】
2020091563.tif 000010
【図９】
2020091563.tif 000011
【図１０】
2020091563.tif 000012
【手続補正書】
【提出日】平成31年3月4日(2019.3.4)
【手続補正１】
【補正対象書類名】特許請求の範囲
【補正対象項目名】請求項２
【補正方法】変更
【補正の内容】
【請求項２】
請求項１に記載の駐車予約システムにおいて、
前記予約管理装置は、前記申し込み受付があったとき、予約開始時刻より余裕をとるための間隔最小値だけ前の時刻から前記予約開始時刻までの期間に、現時点が含まれる場合に、前記申し込み受付から予約完了までの間は、制限側に保持された前記進入制限装置のうち少なくとも一つの前記進入制限装置の前記駐車可能表示部を駐車不可に表示することを特徴とする駐車予約システム。
【手続補正２】
【補正対象書類名】明細書
【補正対象項目名】００１５
【補正方法】変更
【補正の内容】
【００１５】
本発明においては、前記予約管理装置は、前記申し込み受付があったとき、予約開始時刻より余裕をとるための間隔最小値だけ前の時刻から前記予約開始時刻までの期間に、現時点が含まれる場合に、前記申し込み受付から予約完了までの間は、制限側に保持された前記進入制限装置のうち少なくとも一つの前記進入制限装置の前記駐車可能表示部を駐車不可に表示示してもよい。
【手続補正３】
【補正対象書類名】明細書
【補正対象項目名】００１６
【補正方法】変更
【補正の内容】
【００１６】
予約管理装置は、予約開始時刻より余裕をとるための間隔最小値だけ前の時刻から前記予約開始時刻までの期間に、現時点が含まれる場合に、進入制限装置の駐車可能表示部を駐車不可に表示するので、予約開始時刻が現時点から大きく時間が空いているときなど無駄に進入制限装置の駐車可能表示部を駐車不可に表示することなく、効率よく予約用の第１駐車スペースを使用することができる。
【手続補正４】
【補正対象書類名】明細書
【補正対象項目名】０１００
【補正方法】変更
【補正の内容】
【０１００】
予約設定処理Ｓ４００において、サーバ装置４０は、利用予定者の利用者端末から駐車場ＰＡの予約の申し込み受付があると（Ｓ４１０）、約開始時刻より余裕をとるための間隔最小値だけ前の時刻から予約開始時刻までの期間に、現時点が含まれるか否かを判定する（Ｓ４２０）。
【手続補正５】
【補正対象書類名】明細書
【補正対象項目名】０１０１
【補正方法】変更
【補正の内容】
【０１０１】
約開始時刻より余裕をとるための間隔最小値だけ前の時刻から予約開始時刻までの期間に、現時点が含まれる場合（Ｓ４２０でＹ）、現時点で利用可能な予約用の第１駐車スペースがあるか否かを判定する（Ｓ４３０）。具体的には、サーバ装置４０は駐車場ＰＡの駐車管理装置１０に通信して現時点かつ予約希望時刻で利用可能な予約用の第１駐車スペースあるか否かを判定する。
【手続補正６】
【補正対象書類名】明細書
【補正対象項目名】０１０８
【補正方法】変更
【補正の内容】
【０１０８】
また、本実施形態では、申し込み受付があったとき、約開始時刻より余裕をとるための間隔最小値だけ前の時刻から予約開始時刻までの期間に、現時点が含まれるか否かを判定し、現時点が含まれている場合に少なくとも一つの進入制限装置の駐車可能表示部を駐車不可に表示することとしたが、これに限定されない。
【手続補正７】
【補正対象書類名】図面
【補正対象項目名】図１０
【補正方法】変更
【補正の内容】
【図１０】
2020091563.tif 000013